(57)【要約】【課題】  構造を簡素化してコストを低減を可能にする。【解決手段】  流体が流れる流通口２８が形成されたサブハウジング２２と、このサブハウジングに接合されるメインハウジング２１内に配設され、流通口を開閉することで流通口内を流れる空気の流量を調節する弁体２７と、メインハウジング内に配設され、磁力線を生じさせる永久磁石２５と、メインハウジング内に配設され、電流が磁力線を横切るときに発生する電磁力により、弁体をその軸心Ｏ１に沿って駆動して閉動作または開動作させる駆動コイル２６と、を有する血圧計用排気装置２０において、上記永久磁石２５は、弁体の軸心Ｏ１に対し一方の片側に配置され、上記駆動コイル２６は、その中心軸Ｏ２が弁体の軸心Ｏ１に対し他方の片側に位置した状態で、上記永久磁石に相対して配置されたものである。【選択図】            図１
2005144140.tif 000002
【特許請求の範囲】
【請求項１】
流体が流れる流通口が形成されたハウジングと、
このハウジング内に配設され、上記流通口を開閉することで当該流通口内を流れる流体の流量を調節する弁体と、
上記ハウジング内に配設され、磁力線を生じさせる磁石と、
上記ハウジング内に配設され、電流が上記磁力線を横切るときに発生する電磁力により、上記弁体をその軸心に沿って駆動して閉動作または開動作させる駆動コイルとを有する流量調節装置において、
上記磁石は、上記弁体の軸心に対し一方の片側に配置され、
上記駆動コイルは、その中心軸が上記弁体の軸心に対し他方の片側に位置した状態で、上記磁石に相対して配置されたことを特徴とする流量調節装置。
【請求項２】
上記駆動コイルは、軸方向の任意の一位置で付勢部材を介してハウジングに付勢支持され、上記付勢部材が上記駆動コイルに作用する付勢力は、当該駆動コイルにより発生する電磁力と逆方向であることを特徴とする請求項１に記載の流量調節装置。
【請求項３】
上記駆動コイルをハウジングに付勢支持する付勢部材は、上記駆動コイルに電流を流すための導通線として機能することを特徴とする請求項２に記載の流量調節装置。
【請求項４】
上記付勢部材は一対あり、これらが駆動コイルへの取り付け後に切断可能な連結部により一体成形されたことを特徴とする請求項２または３に記載の流量調節装置。
【請求項５】
上記駆動コイルは、軸方向の一端側が付勢部材を介してハウジングに付勢支持され、他端側が、互いに摺接する摺動部及び摺動面を介して上記ハウジングに摺動支持され、
上記摺動部と上記摺動面の一方が上記駆動コイルに、他方が上記ハウジングにそれぞれ設けられると共に、これらの摺動部と摺動面は一部が接触して構成されたことを特徴とする請求項１乃至４のいずれかに記載の流量調節装置。
【請求項６】
上記摺動部と上記摺動面は、いずれか一方がテーパ形状に形成され、他方と一部で接触して構成されたことを特徴とする請求項５に記載の流量調節装置。
【請求項７】
人体の腕や手首などの部位に巻き付けられるカフ帯内に供給された空気を排出する血圧計用排気装置として使用されることを特徴とする請求項１乃至６のいずれかに記載の流量調節装置。
【請求項８】
請求項１〜７のいずれかに記載の流量調節装置を用いたことを特徴とする血圧計。
【発明の詳細な説明】
【技術分野】
【０００１】
本発明は、例えば血圧計用排気装置に適用されて好適な流量調節装置、及びその流量調節装置を用いた血圧計に関する。
【背景技術】
【０００２】
血圧計には各種のものが提案されているが、カフ帯内の圧力を所定値まで増加させた後その圧力を徐々に減圧してゆき、この減圧過程において各人の血圧値を測定するものがある。図９は、係る血圧計において、カフ帯内の圧力を徐々に減圧するために使用される血圧計用排気装置を示し、特許文献１に記載されたものである。
この血圧計用排気装置１００は、流通口１０１を通してカフ帯やポンプに接続されるハウジング１０２と、弁体１０３を介して流通口１０１の流通口突端１０４を開閉する駆動軸１０５と、電磁力に基づいて駆動軸１０５を図８の上方向に駆動する駆動コイル１０６とを有して構成される。
【０００３】
駆動軸１０５を駆動させる駆動コイル１０６の周囲に、ヨーク１０７とプレート１０８（共に磁性体）が備えられ、これらのヨーク１０７及びプレート１０８は永久磁石１０９により励磁されている。また、駆動軸１０５は、軸方向に離れた一端側と他端側の２箇所において、付勢部材１１０、１１１を介してハウジング１０２に付勢支持されている。これらの付勢部材１１０及び１１１により、駆動軸１０５は図８の下方向に付勢される。
【０００４】
上述の血圧計用排気装置１００を用いて血圧測定をする場合、まず、駆動コイル１０６に所定電流を流して電磁力を発生させ、この電磁力によって駆動軸１０５を図８の上向きに移動させる。すると、駆動軸１０５の先端の弁体１０３が流通口突端１０４に圧接されるので、流通口１０１は弁体１０３により完全に閉塞される。
【０００５】
次に、この状態でポンプを作動させ、カフ帯内に空気を送給してカフ帯を加圧する。その後、カフ帯の減圧過程に移行する。このときには、駆動コイル１０６への供給電流を徐々に減少させることによって、駆動コイル１０６が発生する電磁力を弱めていく。すると、付勢部材１１０及び１１１の付勢力によって駆動軸１０５が図８の下方向へ移動し、弁体１０３により流通口突端１０４が徐々に開放されて、カフ帯内の空気が流通口１０１を通りハウジング１０２内から大気中へ微速排気される。この微速排気によるカフ帯内の減圧過程において、各人の血圧が計測される。
【特許文献１】特許第３０２９０７３号公報
【発明の開示】
【発明が解決しようとする課題】
【０００６】
ところが、上述の血圧計用排気装置１００では、駆動コイル１０６の全体がヨーク１０７及びプレート１０８間を流れる磁力線を横切るように、駆動コイル１０６の両側にヨーク１０７及びプレート１０８が配置されたので、血圧計用排気装置１００の構造が複雑となってコストが上昇し、また血圧計用排気装置１００が大型化してしまう。
【０００７】
また、駆動軸１０５に付勢力を付与する付勢部材１１０、１１１が駆動軸１０５の軸方向両端側にそれぞれ配置されたことから、付勢部材の部品点数が増加し、構造が複雑となってコストが上昇してしまう。
【０００８】
本発明の目的は、上述の事情を考慮してなされたものであり、構造を簡素化してコストを低減できる流量調節装置を提供することにある。
【課題を解決するための手段】
【０００９】
請求項１に記載の発明は、流体が流れる流通口が形成されたハウジングと、このハウジング内に配設され、上記流通口を開閉することで当該流通口内を流れる流体の流量を調節する弁体と、上記ハウジング内に配設され、磁力線を生じさせる磁石と、上記ハウジング内に配設され、電流が上記磁力線を横切るときに発生する電磁力により、上記弁体をその軸心に沿って駆動して閉動作または開動作させる駆動コイルとを有する流量調節装置において、上記磁石は、上記弁体の軸心に対し一方の片側に配置され、上記駆動コイルは、その中心軸が上記弁体の軸心に対し他方の片側に位置した状態で、上記磁石に相対して配置されたことを特徴とするものである。
【００１０】
請求項２に記載の発明は、請求項１に記載の発明において、上記駆動コイルは、軸方向の任意の一位置で付勢部材を介してハウジングに付勢支持され、上記付勢部材が上記駆動コイルに作用する付勢力は、当該駆動コイルにより発生する電磁力と逆方向であることを特徴とするものである。
【００１１】
請求項３に記載の発明は、請求項２に記載の発明において、上記駆動コイルをハウジングに付勢支持する付勢部材は、上記駆動コイルに電流を流すための導通線として機能することを特徴とするものである。
【００１２】
請求項４に記載の発明は、請求項２または３に記載の発明において、上記付勢部材は一対あり、これらが駆動コイルへの取り付け後に切断可能な連結部により一体成形されたことを特徴とするものである。
【００１３】
請求項５に記載の発明は、請求項１乃至４のいずれかに記載の発明において、上記駆動コイルは、軸方向の一端側が付勢部材を介してハウジングに付勢支持され、他端側が、互いに摺接する摺動部及び摺動面を介して上記ハウジングに摺動支持され、上記摺動部と上記摺動面の一方が上記駆動コイルに、他方が上記ハウジングにそれぞれ設けられると共に、これらの摺動部と摺動面は一部が接触して構成されたことを特徴とするものである。
【００１４】
請求項６に記載の発明は、請求項５に記載の発明において、上記摺動部と上記摺動面は、いずれか一方がテーパ形状に形成され、他方と一部で接触して構成されたことを特徴とするものである。
【００１５】
請求項７に記載の発明は、請求項１乃至６のいずれかに記載の発明において、人体の腕や手首などの部位に巻き付けられるカフ帯内に供給された空気を排出する血圧計用排気装置として使用されることを特徴とするものである。
【００１６】
また、請求項８に記載の発明は、請求項１〜７のいずれかに記載の流量調節装置を用いたことを特徴とする血圧計である。
【発明の効果】
【００１７】
請求項１、７または８に記載の発明によれば、弁体の軸心に対し、一方の片側に磁石が配置され、他方の片側に駆動コイルの中心軸が位置した状態で当該駆動コイルが配置されたことから、駆動コイルは、磁石と相対する部分のみが磁力線を横切って電磁力を発生する。このため、駆動コイルの全体が磁石の磁力線を横切るように、駆動コイルの両側に磁石または磁石に固着された磁性体が配置される場合に比べ、構造が簡素化されてコストを低減できると共に、小型化を実現できる。
【００１８】
請求項２、７または８に記載の発明によれば、駆動コイルが軸方向の任意の一位置で付勢部材を介してハウジングに付勢支持されたことから、駆動コイルが軸方向に離れた二箇所の位置で付勢部材を介してハウジングに付勢支持される場合に比べ、付勢部材の部品点数が減少して構造が簡素化され、コストを低減できる。
【００１９】
請求項３、７または８に記載の発明によれば、駆動コイルをハウジングに付勢支持する付勢部材が、駆動コイルに電流を流すための導通線として機能することから、専用の導通線が不要となり、部品点数が減少してコストを低減できる。
【００２０】
請求項４、７または８に記載の発明によれば、一対の付勢部材が、駆動コイルへの取り付け後に切断可能な連結部により一体成形されたことから、一対の付勢部材を一個の部品として製作でき、この状態で駆動コイルに取り付けることができるので、一対の付勢部材の取付け精度を向上できると共に、その取付け作業を容易化できる。
【００２１】
請求項５、６、７または８に記載の発明によれば、駆動コイルの他端側をハウジングに摺動支持する摺動部と摺動面は、一部が接触して構成されたことから、これらの摺動部と摺動面との摺動抵抗をより良好に低減できるので、駆動コイルの軸方向の移動をより滑らかに実施でき、従って、駆動コイルによる弁体の開動作または閉動作を円滑に実施できる。
【発明を実施するための最良の形態】
【００２２】
［Ａ］第１の実施の形態（図1〜図７）
以下、本発明を実施するための最良の形態を、図面に基づき説明する。図１は、本発明に係る流量調節装置における第1の実施の形態である血圧計用排気装置を示す断面図である。図２は、図１の血圧計用排気装置において、サブハウジングを除いて示す斜視図である。
【００２３】
ここで、流量調節装置としての血圧計用排気装置２０が用いられる電動血圧計１０を図７に示す。この電動血圧計１０は、人体の腕や手首あるいは指などの部位に巻き付けられるカフ帯１１と、このカフ帯１１に圧縮空気を供給するポンプ１２と、カフ帯１１内の空気圧を検出する圧力計１３と、カフ帯１１内の空気を導出管１４を通して一定速度で大気中へ排出する血圧計用排気装置２０と、圧力計１３からの検出信号に基づきポンプ１２の作動を制御してカフ帯１１へ一定圧の空気を供給すると共に、血圧計用排気装置２０の作動を制御してカフ帯１１から空気を一定速度で排出させるマイクロコンピュータ１５と、を有して構成される。
【００２４】
上述のようにカフ帯１１内の空気を徐々に排気する血圧計用排気装置２０は、図１及び図６に示すように、メインハウジング２１の収納空間２３内にヨーク２４、永久磁石２５、駆動コイル２６及び弁体２７が収納され、このメインハウジング２１の開口をサブハウジング２２が覆って構成される。
【００２５】
メインハウジング２１は、樹脂材料にて有底の四角筒形状に形成される。また、サブハウジング２２も樹脂材料にて構成され、このサブハウジング２２には、流体としての空気が流れる流通口２８が形成される。この流通口２８におけるサブハウジング２２の内側に流通口突端２９が設けられる。流通口２８におけるサブハウジング２２の外側部分は、前記導出管１４（図７）に接続される。
【００２６】
これらのメインハウジング２１とサブハウジング２２が接合された状態においても、この接合箇所に連通口３０が設けられる。流通口２８を流れて流通口突端２９から血圧計用排気装置２０内に流入した空気は、上記連通口３０を通って大気中で排出される。
【００２７】
上記ヨーク２４は、磁性材料にてＵ字形状に構成され、その一片３１の内側に永久磁石２５が固着され、他片３２に駆動コイル２６が、その中心軸Ｏ２方向に移動可能に挿通される。永久磁石２５は、弁体２７の軸心Ｏ１（後述）に対し一方の片側に配置され、駆動コイル２６は、その中心軸Ｏ２が弁体２７の上記軸心Ｏ１に対し他方の片側に位置した状態で、永久磁石２５に相対して配置される。永久磁石２５に生ずる磁力線３３は、この永久磁石２５からヨーク２４の他片３２までの間を流れる。従って、駆動コイル２６は、永久磁石２５に相対する部分３４Ａのみが磁力線３３を横切ることになる。
【００２８】
上記駆動コイル２６は、略四角筒形状のボビン３５に導線３６が巻き回されて構成されたものであり、面積の広い部分が永久磁石２５に相対する部分３４Ａとなるように配置される。また、ボビン３５には、駆動コイル２６の中心軸Ｏ２方向の一端側に弁体取付部１９が形成され、この弁体取付部１９に弁体２７が嵌合される。
【００２９】
この弁体２７は、その軸心Ｏ１がサブハウジング２２の流通口２８の軸心と一致して配置され、軸心Ｏ１に沿って移動することで、その表面３７が流通口突端２９に圧接または離反する。弁体２７は、その表面３７が流通口突端２９に圧接されることで流通口２８を閉塞し（閉動作）、表面３７が流通口突端２９から離反することで流通口２８を開放する（開動作）。この弁体２７の開閉動作により、流通口２８内を流れる空気の流量が調節される。
【００３０】
上記駆動コイル２６のボビン３５には、駆動コイル２６の中心軸Ｏ２方向の一端側に、弁体２７に隣接して一対のコイル側端子３８が設けられる。このコイル側端子３８のそれぞれに、ボビン３５に巻き回された導線３６の両端のそれぞれが接続される。これらのコイル側端子３８を通して駆動コイル２６の導線３６に流れた電流は、永久磁石２５に相対する部分３４Ａを流れるときに、永久磁石２５からの磁力線３３を横切ることになり、この永久磁石２５に相対する部分３４Ａにおいてサブハウジング２２へ向かう方向の電磁力が発生する。この電磁力により、弁体２７は、その軸心Ｏ１に沿って駆動されて閉動作し、表面３７が流通口突端２９に圧接して流通口２８を閉塞する。
【００３１】
弁体２７を開動作させるべく、駆動コイル２６に上記電磁力と逆方向の付勢力を付与する付勢部材としてのスプリング３９が、駆動コイル２６のボビン３５に一対取り付けられる。これらのスプリング３９は、ボビン３５において、駆動コイル２６の軸方向の任意の一位置、つまりボビン３５の一端側（図１における上端側）に固定されると共に、メインハウジング３１に固定される。また、ボビン３５の他端側（図１における下端側）には、ガイドバー４０が、駆動コイル２６の中心軸Ｏ２から外れた位置で、この中心軸Ｏ２に沿って一体に延在される。このガイドバー４０は、メインハウジング２１の底部に形成されたガイド穴４０Ａ内に摺動自在に挿通される。
【００３２】
従って、駆動コイル２６は、ボビン３５の一端側において、スプリング３９を介してメインハウジング２１に付勢支持され、ボビン３５の他端側において、ガイドバー４０及びガイド穴４０Ａを介してメインハウジング２１に摺動支持されて、中心軸Ｏ２に沿い、弁体２７を開動作させる方向に常時付勢される。
【００３３】
上記各スプリング３９は、図２に示すように、適度な弾性と強度を有する材料、例えばリン青銅、黄銅、非磁性のステンレスなどを用いて、略ヘアピン形状に成形される。スプリング３９の一端側に、コイル側位置決め穴４１及びコイル側固定部４２が互いに近傍位置に形成され、他端側に、ハウジング側位置決め穴４３及びハウジング側固定部４４が互いに近傍位置に形成される。一方、駆動コイル２６のボビン３５における一端側に一対のコイル側位置決め突起４５が、コイル側端子３８に接近して形成される。また、メインハウジング２１には、サブハウジング２２との接合面に、ハウジング側位置決め突起４６及びハウジング側端子４７が互いに接近して設けられる。
【００３４】
スプリング３９のコイル側位置決め穴４１を駆動コイル２６のコイル側位置決め突起４５に嵌合して位置決めした後、スプリング３９のコイル側固定部４２を駆動コイル２６のコイル側端子３８に半田付けなどにより固定することで、スプリング３９の一端側が駆動コイル２６に固定して取り付けられる。また、スプリング３９のハウジング側位置決め穴
４３をメインハウジング２１のハウジング側位置決め突起４６に嵌合して位置決めした後、スプリング３９のハウジング側固定部４４をメインハウジング２１のハウジング側端子４７に半田付けなどにより固定することで、スプリング３９の他端側がメインハウジング２１に固定して取り付けられる。
【００３５】
上述のスプリング３９は、前述の如く、弁体２７を開動作すべく駆動コイル２６に付勢力を付与する付勢部材として機能する他、駆動コイル２６に電流を流すための導通線としても機能する。つまり、上記ハウジング側端子４７は、メインハウジング２１において、サブハウジング２２との接合面から底面まで貫通して延在され、このハウジング側端子４７へ供給された電流が、スプリング３９及びコイル側端子３８を経て駆動コイル２６の導線３６へ流れ、駆動コイル２６に電磁力を発生させる。
【００３６】
更に、一対のスプリング３９は、図３に示すように、製作時には、例えば２本の連結部４８により一体成形される。この連結部４８は、図４に示すように、スプリング３９のコイル側固定部４２を駆動コイル２６のコイル側端子３８に固定して、スプリング３９を駆動コイル２６に取り付けた後に切断可能とされる。これら一対のスプリング３９は、コイル側位置決め穴４１及びコイル側固定部４２を備えた一端側部分が、上述のように連結部４８により連結される。従って、連結部４８により一体成形された一対のスプリング３９は、駆動コイル２６への取付け時に、それぞれの位置決めを同時に実施できることになる。
【００３７】
次に、血圧計用排気装置２０の作用を、図１及び図７を用いて説明する。  駆動コイル２６に所定値の電流を流すことによって、弁体２７を閉動作させる向きの電磁力を駆動コイル２６に発生させる。この状態では、電磁力がスプリング３９の付勢力に打ち勝って、弁体２７は流通口突端２９に圧接され、流通口２８を完全に閉塞（全閉）する。この状態で、ポンプ１２からカフ帯１１内へ空気が送給される。
【００３８】
その後、電動血圧計１０のカフ帯１１を徐々に減圧する減圧過程に移行するには、血圧計用排気装置２０の駆動コイル２６へ供給される電流を徐々に減少させる。すると、この電流の減少に応じて駆動コイル２６に発生する電磁力が徐々に弱まるので、駆動コイル２６は、スプリング３９の付勢力によって弁体２７を開動作する方向に徐々に移動し、弁体
２７が流通口突端２９から少しずつ離れて、流通口２８が微小且つ連続的に開放される。これにより、カフ帯１１内の空気が血圧計用排気装置２０の流通口２８を経て大気中へ微速排気される。
【００３９】
なお、上記構成の血圧計用排気装置２０のように、駆動コイル２６における永久磁石２５に相対する部分３４Ａのみが磁力線３３を横切って電磁力を発生し、また、駆動コイル２６のボビン３５が軸方向の一端側でのみスプリング３９により付勢力を受けるものであっても、駆動コイル２６の軸方向に沿う移動は、摺動抵抗が低くスムーズであり、弁体２
７による空気の微速排気を良好に実現できる。
【００４０】
次に、血圧用排気装置２０の組立て手順を説明する。
まず、図３に示すように、一対のスプリング３９が連結部４８により一体化された状態で、スプリング３９のコイル側位置決め穴４１を駆動コイル２６のコイル側位置決め突起４５に嵌合して位置決めした後、スプリング３９のコイル側固定部４２を駆動コイル２６のコイル側端子３８に半田付けなどにより固定する。次に、連結部４８を折り曲げることでスプリング３９から切断し、図４に示すように、一対のスプリング３９を機械的、電気的に分離する。
【００４１】
次に、図５に示すように、メインハウジング２１の収納空間２３内に、永久磁石２５が固着されたヨーク２４を収納する。その後、スプリング３９が取り付けられた駆動コイル２６をメインハウジング２１の収納空間２３内に収納する。このとき、駆動コイル２６のボビン３５内にヨーク２４の他片３２を挿入させる。
【００４２】
その後、図２に示すように、スプリング３９のハウジング側位置決め穴４３をメインハウジング２１のハウジング側位置決め突起４６に嵌合して位置決めした後、スプリング３９のハウジング側固定部４４をメインハウジング２１のハウジング側端子４７に半田付けなどにより固定する。上記スプリング３９のメインハウジング２１への固定の前または後に、ボビン３５の弁体取付部１９に弁体２７を嵌合して取り付ける。最後に、図１及び図６に示すように、サブハウジング２２をビス４
９を用いてメインハウジング２１に取り付けて、血圧計用排気装置２０を完成する。なお、上記例は、先に、スプリング３９を駆動コイル２６に固定して連結部４８を切断してから、駆動コイル２６をメインハウジング２１に収納する例を示したが、これは、駆動コイル２６を先にメインハウジング２１に収納し、その後に、スプリング３９を駆動コイル２
６に固定して連結部４８を切断するようにしてもよい。
【００４３】
以上のように構成されたことから、上記実施の形態によれば、次の効果（１）〜（４）を奏する。
（１）弁体２７の軸心Ｏ１に対し、一方の片側に永久磁石２５が配置され、他方の片側に駆動コイル２６の中心軸Ｏ２が位置した状態で当該駆動コイル２６が配置されたことから、駆動コイル２６は、永久磁石２５に相対する部分３４Ａのみが磁力線３３を横切って電磁力を発生する。このため、背景技術の如く、駆動コイル１０６の全体が磁力線を横切るべく、駆動コイル１０６の両側にヨーク１０７及びプレート１０８が配置された場合に比べ、ヨーク及び永久磁石などの部品点数が減少して構造が簡素化されコストを低減できると共に、血圧計用排気装置２０を小型化できる。
【００４４】
（２）駆動コイル２６が軸方向においてボビン３５の一端側でスプリング３９を介してメインハウジング２１に付勢支持されたことから、背景技術の如く、駆動コイル１０６が軸方向に離れた二箇所の位置で付勢部材１１０、１１１を介してハウジング１０２に付勢支持される場合に比べ、付勢部材（スプリング３９）の部品点数が減少して構造が簡素化され、コストを低減できる。
【００４５】
（３）駆動コイル２６をメインハウジング２１に付勢支持するスプリング３９が、駆動コイル２６に電流を流すための導通線として機能することから、専用の導通線が不要となり、部品点数が減少してコストを低減できる。
【００４６】
（４）一対のスプリング３９が、駆動コイル２６への取り付け後に切断可能な連結部４８により一体成形されたことから、一対のスプリング３９を１個の部品として製作でき、この状態で駆動コイル２６に取り付けることができるので、一対のスプリング３９の取付精度を向上できると共に、その取り付け作業を容易化できる。
【００４７】
［Ｂ］第２の実施の形態（図８）
図８は、本発明に係る流量調節装置における第２の実施の形態である血圧計用排気装置を示す断面図である。この第２の実施の形態において、前記第１の実施の形態と同様な部分は、同一の符号を付すことにより説明を省略する。
【００４８】
この第２の実施の形態の血圧計用排気装置５０では、第１の実施の形態の血圧計用排気装置２０の場合と同様に、駆動コイル２６は軸方向の一端側が、付勢部材としてのスプリング３９を介してメインハウジング２１に付勢支持され、他端側が、摺動部としてのガイドバー５１及び摺動面としてのガイド穴５２を介してメインハウジング２１に摺動支持される。
【００４９】
ガイドバー５１は、前記実施の形態のガイドバー４０と同様に、駆動コイル２６におけるボビン３５の他端側において、駆動コイル２６の中心軸Ｏ２から外れた位置で、この中心軸Ｏ２に沿って一体に延在される。また、ガイド穴５２は、メインハウジング２１の底部５３に形成され、この底部５３の外面５４へ向かって拡径したテーパ形状の内面５５を有する。従って、ガイドバー５１は、ガイド穴５２の内面５５の一部、つまり最も細い径の部分５２Ａに接触する。
【００５０】
この結果、駆動コイル２６は、スプリング３９の付勢力により弁体２７を開動作させるべく中心軸Ｏ２に沿って移動するとき、ガイドバー５１がガイド穴５２の一部５２Ａと摺接することで摺動抵抗が一層低減され、弁体２７の微速開動作による微速排気がより一層良好になる。ガイドバー５１とガイド穴５２による上記摺動抵抗の低減は、駆動コイル２６の中心軸Ｏ２を水平状態とする血圧計用排気装置５０の横向き配置時においてもその効果が維持され、この場合にも血圧計用排気装置５０の微速排気を良好に確保できる。
【００５１】
従って、上記実施の形態によれば、前記第１の実施の形態の効果（１）〜（４）と同様な効果を奏する他、次の効果（５）を奏する。
（５）駆動コイル２６の他端側をメインハウジング２１に摺動支持するガイドバー５１とガイド穴５２は、ガイド穴５２の内面５５がテーパ形状に形成されてガイド穴５２の一部５２Ａがガイドバー５１に接触して構成されたことから、これらのガイドバー５１とガイド穴５２との摺動抵抗をより良好に低減できるので、特に、血圧計用排気装置５０が駆動コイル２６の中心軸Ｏ２を水平状態とする横向き配置の場合であっても、駆動コイル２６の軸方向の移動をより滑らかに実施できる。従って、駆動コイル２６による弁体２７の開動作を円滑に実施して、血圧計用排気装置５０による良好な微速排気を実現できる。
【００５２】
尚、この第２の実施の形態では、ガイド穴５２の内面５５がテーパ形状に形成されるものを述べたが、ガイドバー５１の外面がテーパ形状に形成されてもよい。また、ガイドバー５１の外面とガイド穴５２の内面５５とのいずれか一方に、リング形状または螺旋形状の突起部が設けられてもよく、或いは、半球形状の突起部を点在させてもよい。更に、上述のようなガイドバー５１がメインハウジング２１に、ガイド穴５２が駆動コイル２６のボビン３５にそれぞれ設けられてもよい。
【００５３】
以上、本発明を上記実施の形態に基づいて説明したが、本発明はこれに限定されるものではない。
例えば、本実施の形態では、流量調節装置を血圧計用排気装置２０として使用する場合を述べたが、流量調節装置を血圧計用排気装置２０以外の一般的用途において使用する場合には、スプリング３９による付勢力の作用で弁体３７を閉動作させる方向に駆動コイル２６を付勢し、且つ、この駆動コイル２６に発生する電磁力の作用で、弁体３７を開動作
するように構成してもよい。
【産業上の利用可能性】
【００５４】
本発明は、特に、血圧計用排気装置に用いられる流量調節装置及びそれを用いた血圧計として利用できる。
【図面の簡単な説明】
【００５５】
【図１】本発明に係る流量調節装置における第1の実施の形態である血圧計用排気装置を示す断面図である。
【図２】図１の血圧計用排気装置において、サブハウジングを除いて示す斜視図である。
【図３】図１のスプリング及び駆動コイルにおいて、一対のスプリングを駆動コイルに固定した直後の状態を示す斜視図である。
【図４】図１のスプリング及び駆動コイルにおいて、一対のスプリングから連結部を切断した状態を示す斜視図である。
【図５】一対のスプリングが取り付けられた駆動コイルをメインハウジング内に収納する状態を示す斜視図である。
【図６】図１の血圧計用排気装置を示す分解斜視図である。
【図７】図１の血圧計用排気装置を用いた電動血圧計を示す構成図である。
【図８】本発明に係る流量調節装置における第２の実施の形態である血圧計用排気装置を示す断面図である。
【図９】背景技術の血圧用排気装置を示す断面図である。
【符号の説明】
【００５６】
２０  血圧計用排気装置（流量調節装置）
２１  メインハウジング
２２  サブハウジング
２５  永久磁石
２６  駆動コイル
２７  弁体
２８  流通口
３３  磁力線
３９  スプリング（付勢部材）
４８  連結部
５０  血圧計用排気装置（流量調節装置）
５１  ガイドバー(摺動部)
５２  ガイド穴(摺動面)
５２Ａ  一部
５５  内面
Ｏ１  弁体の軸心
Ｏ２  駆動コイルの中心軸
【図１】
2005144140.tif 000003
【図２】
2005144140.tif 000004
【図３】
2005144140.tif 000005
【図４】
2005144140.tif 000006
【図５】
2005144140.tif 000007
【図６】
2005144140.tif 000008
【図７】
2005144140.tif 000009
【図８】
2005144140.tif 000010
【図９】
2005144140.tif 000011